(57)【特許請求の範囲】
【請求項１】
複数の周波数と複数の電圧値とが予め対応付けられ、前記周波数と当該周波数に対応する前記電圧値との組み合わせを一意に特定する論理値を示す論理信号を出力する電源制御部と、
前記電源制御部から出力された前記論理信号が示す論理値により特定される前記周波数を動作周波数として設定する制御部と、
前記電源制御部から出力された前記論理信号が示す論理値により特定される前記電圧値の電圧を前記制御部へ供給する電源部と、
を備える制御基板と、
前記制御部によって制御される被制御部と、
を備えた制御装置であって、
前記電源制御部は、前記制御装置の起動時に、所定の初期論理値を示す前記論理信号を出力し、
前記制御部は、前記起動時に前記初期論理値により特定される前記周波数を動作周波数として動作を開始した後、前記被制御部から前記被制御部の識別情報を取得し、当該動作周波数が、当該取得した前記識別情報に予め対応付けられた既定周波数と異なる場合、前記論理信号が示す論理値を、前記既定周波数を特定する論理値に変更する変更指示を前記電源制御部へ出力し、
前記電源制御部は、前記変更指示が入力された場合、前記論理信号が示す論理値を当該変更指示が示す論理値に変更する制御装置。
【請求項２】
前記制御部は、更に、前記電源部から供給される電圧とは他の電圧の供給を受けて動作可能であり、
前記制御装置は、前記他の電圧を前記制御部へ供給する副電源部を更に備え、
前記電源制御部は、更に、前記起動時に前記副電源部に前記他の電圧の供給を開始させ、前記他の電圧の安定後に前記論理信号の出力を開始する請求項１に記載の制御装置。
【請求項３】
不揮発性の記憶部を更に備え、
前記電源制御部は、前記変更指示が入力された場合、当該変更指示が示す論理値を前記初期論理値として前記記憶部に記憶する請求項１又は２に記載の制御装置。
【請求項４】
前記制御部は、更に、前記制御装置を、消費電力を抑制しない通常モード又は消費電力を抑制するスリープモードに切り替える制御を行い、
前記制御部は、前記制御装置を前記スリープモードに切り替えた場合、前記論理信号が示す論理値を、前記複数の電圧値のうち最小の電圧値を特定する論理値に変更するスリープ指示を前記電源制御部へ出力し、
前記電源制御部は、前記スリープ指示が入力された場合、前記論理信号が示す論理値を当該スリープ指示が示す論理値に変更する請求項１から３の何れか一項に記載の制御装置。
【請求項５】
請求項１から４の何れか一項に記載の制御装置を備え、
用紙に画像を形成する画像形成部を前記被制御部として備える画像形成装置。
【発明の詳細な説明】
【技術分野】
【０００１】
本発明は、動作周波数を動的に切り替え、動作周波数毎に予め対応付けられた電圧値の電圧で動作する制御部が配置された制御基板並びに当該制御基板を備えた制御装置及び画像形成装置に関する。
【背景技術】
【０００２】
従来から、所定の端子に接続された分圧抵抗の抵抗値を調整する等して、出力電圧の電圧値を静的に設定するＤＣＤＣコンバーターが知られている。また、近年では、入力信号から得られる情報に基づいて、出力電圧の電圧値を動的に変更するＤＣＤＣコンバーターも登場してきている。
【０００３】
上記の近年登場のＤＣＤＣコンバーターとして、例えば下記特許文献１には、メインＣＰＵにより出力されたシステムクロックが入力されると、スイッチング周波数を当該システムクロックのクロック周波数に予め対応付けられた周波数に切り替えることにより、出力電圧の電圧値を動的に変更するＤＣＤＣコンバーターが記載されている。
【０００４】
また、近年では、ＧＰＩＯ端子に入力された論理信号の論理値に応じて動作周波数を動的に切り替え、動作周波数毎に予め対応付けられた電圧値の電圧で動作するＡＳＩＣも登場してきている。
【０００５】
そこで、近年では、複数の画像形成装置に、上記の近年登場のＡＳＩＣと上記の従来構成のＤＣＤＣコンバーターとが配置された制御基板を搭載し、各装置の仕様に応じた動作周波数でＡＳＩＣを動作させることが行われている。これにより、複数の画像形成装置に搭載するＡＳＩＣを共通化することが行われている。
【先行技術文献】
【特許文献】
【０００６】
【特許文献１】特開２００６−２４６０７７号公報
【発明の概要】
【発明が解決しようとする課題】
【０００７】
しかし、上記の従来構成のＤＣＤＣコンバーターは、出力電圧の電圧値を静的にしか設定できないので、各装置の出荷前に、ＤＣＤＣコンバーターの出力電圧の電圧値を、装置の仕様に応じた動作周波数に対応する電圧値に予め設定する必要があった。このため、複数の画像形成装置に搭載するＡＳＩＣを共通化できても、ＤＣＤＣコンバーターを共通化することができず、これらを配置した制御基板も共通化することができなかった。
【０００８】
その結果、各画像形成装置の部品表やＡＳＳＹ図等に記載する制御基板の識別情報を装置毎に異ならせたり、交換用の制御基板を装置毎に個別に用意する必要が生じ、制御基板の管理が煩雑になるという問題があった。
【０００９】
尚、上記の従来構成のＤＣＤＣコンバーターに代えて、上記特許文献１に記載のＤＣＤＣコンバーターを上記制御基板に配置し、ＤＣＤＣコンバーターの出力電圧の電圧値を、ＡＳＩＣの動作周波数に対応する電圧値に動的に変更することが考えられる。しかし、当該ＤＣＤＣコンバーターは、ＡＳＩＣ（メインＣＰＵ）が動作していず、ＡＳＩＣからシステムクロックが入力されない状態では、出力電圧の電圧値をＡＳＩＣの動作周波数（システムクロックの周波数）に対応する電圧値に変更できない。このように、上記特許文献１に記載のＤＣＤＣコンバーターを上記制御基板に配置した場合、動作していないＡＳＩＣへはＡＳＩＣの動作周波数に対応する電圧値の電圧を供給できず、ＡＳＩＣを当該動作周波数で動作させることは困難であった。
【００１０】
本発明は、上記の問題を解決するためになされたものであり、動作周波数を動的に切り替え、動作周波数毎に予め対応付けられた電圧値の電圧で動作する制御部が配置された、管理が容易な制御基板と、当該制御基板を備えた制御装置及び画像形成装置と、を提供することを目的とする。
【課題を解決するための手段】
【００１１】
本発明による制御装置が備える制御基板は、複数の周波数と複数の電圧値とが予め対応付けられ、前記周波数と当該周波数に対応する前記電圧値との組み合わせを一意に特定する論理値を示す論理信号を出力する電源制御部と、前記電源制御部から出力された前記論理信号が示す論理値により特定される前記周波数を動作周波数として設定する制御部と、前記電源制御部から出力された前記論理信号が示す論理値により特定される前記電圧値の電圧を前記制御部へ供給する電源部と、を備える。
【００１２】
本構成の制御基板によれば、電源制御部が出力する論理信号が示す論理値を変更することにより、制御部の動作周波数を当該変更後の論理値により特定される周波数に変更し、且つ、電源部から制御部へ供給される電圧の電圧値を、当該変更後の論理値により特定される周波数に対応する電圧値に変更することができる。これにより、制御部は、当該変更後の論理値により特定される周波数に対応する電圧値の電圧の供給を受けて、当該周波数を動作周波数として動作することができる。
【００１３】
このため、例えば、上記の近年登場のＡＳＩＣを本構成の制御部として本構成の制御基板に配置することにより、電源制御部が出力する論理信号の論理値に応じて当該ＡＳＩＣの動作周波数を切り替え、且つ、電源部から当該動作周波数に予め対応付けられた電圧値の電圧を供給させて、当該ＡＳＩＣを当該動作周波数で動作させることができる。
【００１４】
また、複数の制御装置に本構成の制御基板を搭載し、各電源制御部が出力する論理信号の論理値を各装置の仕様に応じて異ならせることにより、各電源部の構成を異ならせることなく、各制御部の動作周波数を各装置の仕様に応じた周波数に変更し、当該動作周波数に対応する電圧値の電圧で各制御部を動作させることができる。つまり、本構成の制御基板を複数の制御装置で共通利用することができる。これにより、例えば、各制御装置の部品表やＡＳＳＹ図番等に記載する制御基板の識別情報を同一にでき、また、交換用の制御基板を一元管理できる等、制御基板の管理が容易となる。
【００１５】
本発明による制御装置は、前記制御基板と、前記制御部によって制御される被制御部と、を備えた制御装置であって、前記電源制御部は、前記制御装置の起動時に、所定の初期論理値を示す前記論理信号を出力し、前記制御部は、前記起動時に前記初期論理値により特定される前記周波数を動作周波数として動作を開始した後、前記被制御部から前記被制御部の識別情報を取得し、当該動作周波数が、当該取得した前記識別情報に予め対応付けられた既定周波数と異なる場合、前記論理信号が示す論理値を、前記既定周波数を特定する論理値に変更する変更指示を前記電源制御部へ出力し、前記電源制御部は、前記変更指示が入力された場合、前記論理信号が示す論理値を当該変更指示が示す論理値に変更する。
【００１６】
本構成によれば、制御装置の起動時に、制御部が初期論理値により特定される周波数を動作周波数として動作を開始した後、当該動作周波数が被制御部の識別情報に予め対応付けられた既定周波数と異なる場合、その後、当該既定周波数を特定する論理値を示す論理信号が制御部に入力される。これにより、制御装置の起動後、制御部の動作周波数を、初期論理値により特定される周波数から既定周波数へ自動的に変更することができる。
【００１７】
また、前記制御部は、更に、前記電源部から供給される電圧とは他の電圧の供給を受けて動作可能であり、前記制御装置は、前記他の電圧を前記制御部へ供給する副電源部を更に備え、前記電源制御部は、更に、前記起動時に前記副電源部に前記他の電圧の供給を開始させ、前記他の電圧の安定後に前記論理信号の出力を開始することが好ましい。
【００１８】
副電源部から制御部へ供給される他の電圧が安定していないうちに、電源制御部が上記論理信号を出力するとする。この場合、制御部に入力される論理信号の電圧レベルが急激に高まることが原因で、当該他の電圧の給電線に電流が流れ込む（回り込む）虞がある。これにより、制御部は、他の電圧の供給を受けることができる状態になったと誤って判断し、他の電圧を用いる動作を誤って行う虞がある。
【００１９】
しかし、本構成によれば、副電源部から制御部へ供給される他の電圧が安定した後に、論理信号の出力を開始するので、他の電圧の給電線に電流が流れ込む虞を軽減することができる。これにより、制御部が、他の電圧の供給を受けることができる状態になったと誤って判断して、他の電圧を用いる動作を誤って行う虞を軽減することができる。
【００２０】
また、不揮発性の記憶部を更に備え、前記電源制御部は、前記変更指示が入力された場合、当該変更指示が示す論理値を前記初期論理値として前記記憶部に記憶してもよい。
【００２１】
本構成によれば、制御装置の最初の起動時に、電源制御部に変更指示が入力された場合、当該変更指示が示す、既定周波数を特定する論理値が初期論理値として不揮発性の記憶部に記憶される。このため、制御部は、制御装置の二回目以降の起動時に、迅速に、論理信号が示す初期論理値により特定される既定周波数を動作周波数として設定し、当該動作周波数で動作を開始することができる。
【００２２】
また、前記制御部は、更に、前記制御装置を、消費電力を抑制しない通常モード又は消費電力を抑制するスリープモードに切り替える制御を行い、前記制御部は、前記制御装置を前記スリープモードに切り替えた場合、前記論理信号が示す論理値を、前記複数の電圧値のうち最小の電圧値を特定する論理値に変更するスリープ指示を前記電源制御部へ出力し、前記電源制御部は、前記スリープ指示が入力された場合、前記論理信号が示す論理値を当該スリープ指示が示す論理値に変更してもよい。
【００２３】
本構成によれば、制御装置がスリープモードに切り替えられた場合に、電源部は、電源制御部から入力された論理信号が示す論理値により特定される最小の電圧値の電圧を制御部へ供給することができる。これにより、制御装置がスリープモードに切り替えられた場合における制御部の消費電力を抑制することができる。
【００２４】
また、本発明による画像形成装置は、前記制御装置を備え、用紙に画像を形成する画像形成部を前記被制御部として備える。
【００２５】
本構成によれば、制御装置の起動後、制御部の動作周波数を、初期論理値により特定される周波数から画像形成部の識別情報に予め対応付けられた既定周波数へ自動的に変更することができる。
【発明の効果】
【００２６】
これらの発明によれば、動作周波数を動的に切り替え、動作周波数毎に予め対応付けられた電圧値の電圧で動作する制御部が配置された、管理が容易な制御基板と、当該制御基板を備えた制御装置及び画像形成装置と、を提供することができる。
【図面の簡単な説明】
【００２７】
【図１】複合機の電気的構成を示すブロック図である。
【図２】制御装置の概略構成図である。
【図３】論理値と複数の周波数と複数の電圧値との対応関係の一例を示す図である。
【図４】制御部の動作周波数及び電源部が供給する電圧の電圧値を設定する動作を示すフローチャートである。
【図５】制御装置の最初の起動時に、制御部の動作周波数及び電源部が供給する電圧の電圧値を設定する動作を示すタイムチャートである。
【図６】画像形成部の識別情報と既定周波数との対応関係を定めた既定周波数テーブルの一例を示す図である。
【図７】制御装置の二回目以降の起動時に、制御部の動作周波数及び電源部が供給する電圧の電圧値を設定する動作を示すタイムチャートである。
【発明を実施するための形態】
【００２８】
以下、本発明に係る制御基板、制御装置及び画像形成装置の一実施形態を図面に基づいて説明する。尚、本実施形態では、本発明に係る画像形成装置の一実施形態として複合機を例に説明する。しかし、これに限らず、本発明に係る画像形成装置は、例えば、ファクシミリ装置、コピー機、プリンター等であってもよい。
【００２９】
図１は、複合機１の電気的構成を示すブロック図である。図１に示すように、複合機１は、画像読取部２００と画像形成部３００（被制御部）と操作部４００と記憶部５００と通信部６００と主制御部１００とを備えている。
【００３０】
画像読取部２００は、ＣＣＤラインセンサーや露光ランプ等を有する不図示の光学系ユニットを備えている。画像読取部２００は、光学系ユニットに原稿の画像を読み取らせ、原稿の画像を表す画像データを生成し、当該画像データを主制御部１００へ出力する。
【００３１】
画像形成部３００は、感光体ドラム、帯電部、露光部、現像部、クリーニング部等を備えた周知の構成を有し、主制御部１００から入力された画像データが表す画像を用紙に形成する印刷処理を実行する。尚、主制御部１００は、例えば、画像読取部２００により生成された画像データを画像形成部３００へ出力する。また、主制御部１００は、後述する通信部６００が外部装置から受信した画像データを画像形成部３００へ出力する。
【００３２】
また、画像形成部３００は、ＥＥＰＲＯＭ等の不揮発性メモリー、画像形成部３００内の各部を駆動させるための駆動回路、主制御部１００との通信を行うための通信インターフェイス回路等が配置された制御基板を備えている。当該不揮発性メモリーには、画像形成部３００の識別情報が予め記憶されている。
【００３３】
画像形成部３００の識別情報は、例えば、印刷処理によって１分当たりに出力可能な用紙の枚数（ＰＰＭ）等、画像形成部３００の処理仕様を識別可能な情報で構成されている。本実施形態では、画像形成部３００の識別情報は、印刷処理によって１分当たりに出力可能な用紙の枚数で構成されているとする。
【００３４】
操作部４００は、複合機１に対する種々の操作指示を入力可能に構成されている。具体的には、操作部４００は、液晶ディスプレイ等の表示部４１０と、操作キー部４２０と、を備えている。操作キー部４２０は、例えば数値や記号を入力するためのテンキー等の各種キーを備えている。
【００３５】
記憶部５００は、ＨＤＤやＳＳＤ等の記憶装置である。通信部６００は、不図示のパソコン等の外部装置と主制御部１００との間でＬＡＮ等を介して通信を行うための通信インターフェイス回路である。
【００３６】
主制御部１００は、画像読取部２００、画像形成部３００、操作部４００、記憶部５００及び通信部６００と不図示の制御バスを介して通信可能に接続されている。主制御部１００は、画像データ等のデータ信号や各部の動作を制御するための制御信号を各部との間で送受信することにより、各部を制御する。
【００３７】
以下、複合機１が備える制御装置９００について説明する。図２は、制御装置９００の概略構成図である。図２に示すように、制御装置９００は、主制御部１００と画像形成部３００とを備えている。主制御部１００は、制御基板１０を備えている。
【００３８】
制御基板１０には、第一ＤＣＤＣコンバーター１１（電源部）、第二ＤＣＤＣコンバーター１２（副電源部）、ＰＭＩＣ１３（電源制御部）、ＡＳＩＣ１４（制御部）、及びＥＥＰＲＯＭ１５（記憶部）が配置されている。
【００３９】
第一ＤＣＤＣコンバーター１１は、上記背景技術欄に記載の近年登場のＤＣＤＣコンバーターと同様の構成を有している。具体的には、第一ＤＣＤＣコンバーター１１は、二つの入力端子Ｐ１１、Ｐ１２に後述の二つの論理信号ＬＳ１、ＬＳ２が入力されると、当該二つの論理信号ＬＳ１、ＬＳ２が示す二つの論理値に予め対応付けられた電圧値の電圧Ｖ１をＡＳＩＣ１４へ出力（供給）する。上記二つの論理値と電圧Ｖ１の電圧値との対応関係については後述する。
【００４０】
第二ＤＣＤＣコンバーター１２は、上記背景技術欄に記載の従来構成のＤＣＤＣコンバーターと同様の構成を有し、予め定められた電圧値Ｖａの電圧Ｖ２をＡＳＩＣ１４へ出力（供給）する。
【００４１】
ＰＭＩＣ１３は、複合機１の起動中、不図示のＤＣＤＣコンバーターから常時供給される電圧で、第一ＤＣＤＣコンバーター１１及び第二ＤＣＤＣコンバーター１２による電圧の供給動作を制御する。また、ＰＭＩＣ１３は、二つの論理信号ＬＳ１、ＬＳ２を出力可能に構成されている。尚、制御基板１０には、二つの論理信号ＬＳ１、ＬＳ２が、第一ＤＣＤＣコンバーター１１の二つの入力端子Ｐ１１、Ｐ１２及びＡＳＩＣ１４の二つのＧＰＩＯ端子Ｐ４１、Ｐ４２に入力されるように信号線が配線されている。
【００４２】
ＡＳＩＣ１４は、上記背景技術欄に記載の近年登場のＡＳＩＣと同様の構成を有している。具体的には、ＡＳＩＣ１４は、二つのＧＰＩＯ端子Ｐ４１、Ｐ４２に二つの論理信号ＬＳ１、ＬＳ２が入力されると、当該二つの論理信号ＬＳ１、ＬＳ２が示す二つの論理値に予め対応付けられた周波数を動作周波数として設定する。そして、ＡＳＩＣ１４は、第一ＤＣＤＣコンバーター１１によって当該動作周波数に予め対応付けられた電圧値の電圧Ｖ１が供給されると、当該動作周波数で動作し、画像形成部３００の制御を行う。上記二つの論理値とＡＳＩＣ１４の動作周波数として設定される周波数との対応関係については後述する。
【００４３】
また、ＡＳＩＣ１４は、第二ＤＣＤＣコンバーター１２から電圧Ｖ２（他の電圧）の供給を受けて、画像読取部２００等の画像形成部３００とは異なる各部の制御を行う。
【００４４】
また、ＡＳＩＣ１４は、複合機１の起動中、不図示のＤＣＤＣコンバーターから常時供給される電圧で、制御装置９００を、消費電力を抑制しない通常モード又は消費電力を抑制するスリープモードに切り替える制御を行う。
【００４５】
ＥＥＰＲＯＭ１５は、不揮発性のメモリーであり、不図示のＤＣＤＣコンバーターにより供給される電圧で、データを記憶し、また、記憶されているデータを読み出す。
【００４６】
以下、二つの論理信号ＬＳ１、ＬＳ２が示す二つの論理値と、ＡＳＩＣ１４の動作周波数として設定される周波数と、第一ＤＣＤＣコンバーター１１が出力する電圧Ｖ１の電圧値と、の対応関係について説明する。尚、以下では、説明の便宜上、第一ＤＣＤＣコンバーター１１が出力する電圧Ｖ１を出力電圧Ｖ１と略記し、ＡＳＩＣ１４の動作周波数を動作周波数と略記する。
【００４７】
また、本実施形態では、ＡＳＩＣ１４は、「８００ＭＨｚ」、「１．０ＧＨｚ」、「１．２ＧＨｚ」の三個の周波数を動作周波数として設定可能であるとする。また、ＡＳＩＣ１４は、動作周波数が「８００ＭＨｚ」の場合、「１．１Ｖ」の電圧Ｖ１が供給されたときに動作可能になり、動作周波数が「１．０ＧＨｚ」の場合、「１．２Ｖ」の電圧Ｖ１が供給されたときに動作可能になり、動作周波数が「１．２ＧＨｚ」の場合、「１．２２Ｖ」の電圧Ｖ１が供給されたときに動作可能になるものとする。
【００４８】
この場合、図３の太枠部に示すように、動作周波数として設定可能な三個の周波数「８００ＭＨｚ」、「１．０ＧＨｚ」、「１．２ＧＨｚ」と、当該三個の周波数がそれぞれ動作周波数として設定された場合にＡＳＩＣ１４が動作するために必要な三個の出力電圧Ｖ１の電圧値「１．１Ｖ」、「１．２Ｖ」、「１．２２Ｖ」と、が対応付けられる。
【００４９】
また、図３に示すように、論理信号ＬＳ１が示す論理値（以下、第一論理値と記載する）と論理信号ＬＳ２が示す論理値（以下、第二論理値と記載する）とによる二つの論理値の組み合わせ「Ｌｏｗ、Ｌｏｗ」、「Ｈｉｇｈ、Ｌｏｗ」、「Ｈｉｇｈ、Ｈｉｇｈ」と、図３の太枠部に示す、上記周波数と当該周波数に対応する出力電圧Ｖ１の電圧値との組み合わせ「８００ＭＨｚ、１．１Ｖ」、「１．０ＧＨｚ、１．２Ｖ」、「１．２ＧＨｚ、１．２２Ｖ」とが、対応付けられる。
【００５０】
つまり、第一論理値と第二論理値とによる二つの論理値の組み合わせによって、動作周波数として設定される周波数と当該周波数に対応する出力電圧Ｖ１の電圧値との組み合わせが一意に特定できるように、上記二つの論理値と、動作周波数として設定可能な周波数と、出力電圧Ｖ１の電圧値と、が対応付けられる。
【００５１】
これにより、例えば、ＰＭＩＣ１３が出力した論理信号ＬＳ１がＬｏｗレベルであり、論理信号ＬＳ２がＬｏｗレベルであるとすると、第一ＤＣＤＣコンバーター１１は、論理信号ＬＳ１が示す第一論理値「Ｌｏｗ」と論理信号ＬＳ２が示す第二論理値「Ｌｏｗ」とによる二つの論理値の組み合わせ「Ｌｏｗ、Ｌｏｗ」によって特定される電圧値「１．１Ｖ」の電圧Ｖ１をＡＳＩＣ１４へ供給する。
【００５２】
一方、ＡＳＩＣ１４は、論理信号ＬＳ１が示す第一論理値「Ｌｏｗ」と論理信号ＬＳ２が示す第二論理値「Ｌｏｗ」とによる二つの論理値の組み合わせ「Ｌｏｗ、Ｌｏｗ」によって特定される周波数「８００ＭＨｚ」を動作周波数として設定する。そして、ＡＳＩＣ１４は、第一ＤＣＤＣコンバーター１１から周波数「８００ＭＨｚ」に対応付けられた電圧値「１．１Ｖ」の電圧Ｖ１の供給を受けて、上記設定した動作周波数「８００ＭＨｚ」で動作可能になる。
【００５３】
以下、制御装置９００を最初に起動する場合に、動作周波数及び出力電圧Ｖ１の電圧値を設定する動作について説明する。
【００５４】
図４及び図５に示すように、時刻ｔ１において複合機１に電源が投入されると、制御装置９００は、以下に示す起動動作を行う。具体的には、ＰＭＩＣ１３は、二つの論理信号ＬＳ１、ＬＳ２を出力せずに、第一ＤＣＤＣコンバーター１１を起動させる（Ｓ１）。
【００５５】
この場合、ＰＭＩＣ１３が二つの論理信号ＬＳ１、ＬＳ２を出力していないので、第一ＤＣＤＣコンバーター１１の入力端子Ｐ１１、Ｐ１２は、電圧値「０」の論理信号ＬＳ１、ＬＳ２が入力された状態と等しい状態となっている。このため、第一ＤＣＤＣコンバーター１１は、共に論理値「Ｌｏｗ」を示す二つの論理信号ＬＳ１、ＬＳ２が入力端子Ｐ１１、Ｐ１２に入力されたと判断し、第一論理値「Ｌｏｗ」と第二論理値「Ｌｏｗ」とによる二つの論理値の組み合わせ「Ｌｏｗ、Ｌｏｗ」によって特定される電圧値「１．１Ｖ」（図３参照）の電圧Ｖ１の供給を開始する。
【００５６】
ＰＭＩＣ１３は、第一ＤＣＤＣコンバーター１１の起動後、電圧Ｖ１が安定するまでに要すると考えられる所定の待機時間待機し、当該待機時間が経過した時刻ｔ２になると、第二ＤＣＤＣコンバーター１２を起動させる（Ｓ２）。これにより、第二ＤＣＤＣコンバーター１２は、所定の電圧値「Ｖａ」の電圧Ｖ２の供給を開始する。
【００５７】
ＰＭＩＣ１３は、第二ＤＣＤＣコンバーター１２の起動後、電圧Ｖ２が安定するまでに要すると考えられる所定の待機時間待機する（Ｓ３；ＮＯ）。そして、ＰＭＩＣ１３は、当該待機時間が経過した時刻ｔ３になると、電圧Ｖ２が安定したと判断し（Ｓ３；ＹＥＳ）、ＥＥＰＲＯＭ１５に予め記憶されている初期論理値を読み出す。初期論理値は、第一論理値の初期値と第二論理値の初期値とによる二つの論理値の組み合わせを示す。尚、ここでＰＭＩＣ１３が読み出した初期論理値は、「Ｌｏｗ、Ｌｏｗ」であるとする。
【００５８】
ＰＭＩＣ１３は、ＥＥＰＲＯＭ１５から初期論理値「Ｌｏｗ、Ｌｏｗ」を読み出した後、当該読み出した初期論理値「Ｌｏｗ、Ｌｏｗ」を示す二つの論理信号ＬＳ１、ＬＳ２の出力を開始する（Ｓ４、時刻ｔ４）。その後、ステップＳ５が行われる（Ｓ５）。
【００５９】
ステップＳ５において、第一ＤＣＤＣコンバーター１１は、出力電圧Ｖ１の電圧値を、論理信号ＬＳ１、ＬＳ２が示す初期論理値「Ｌｏｗ、Ｌｏｗ」によって特定される電圧値「１．１Ｖ」に設定する。ただし、本実施形態では、第一ＤＣＤＣコンバーター１１が既に電圧値「１．１Ｖ」の電圧Ｖ１の供給を開始しているので、当該ステップＳ５において出力電圧Ｖ１の電圧値は変更されない。
【００６０】
一方、ＡＳＩＣ１４は、電圧Ｖ１の供給を受け初めてから、ＡＳＩＣ１４に供給される全ての電圧が安定するまでに要すると考えられる所定の待機時間が経過した時刻ｔ５になると、リセット状態を解除する。
【００６１】
尚、ＡＳＩＣ１４に供給される全ての電圧とは、上述した、第一ＤＣＤＣコンバーター１１により供給される電圧Ｖ１、第二ＤＣＤＣコンバーター１２により供給される電圧Ｖ２、及び、制御装置９００を通常モード又はスリープモードに切り替える制御に用いる、不図示のＤＣＤＣコンバーターにより供給される電圧を示す。
【００６２】
そして、ＡＳＩＣ１４は、リセット状態を解除し終えた時刻ｔ６になると、所定の初期化処理を開始する。当該初期化処理には、ブート処理、カーネル起動処理等が含まれる。また、ＡＳＩＣ１４は、当該初期化処理において、ステップＳ５の処理として、二つの論理信号ＬＳ１、ＬＳ２が示す初期論理値「Ｌｏｗ、Ｌｏｗ」によって特定される周波数「８００ＭＨｚ」（図３参照）を、動作周波数として設定する。
【００６３】
ＡＳＩＣ１４は、動作周波数を設定する処理を終了すると、画像形成部３００から画像形成部３００の識別情報を取得する（Ｓ６）。具体的には、ステップＳ６において、ＡＳＩＣ１４は、画像形成部３００に対し、画像形成部３００の識別情報の送信を要求する。画像形成部３００は、当該送信要求に応答して画像形成部３００内の上記不揮発性メモリーに記憶されている画像形成部３００の識別情報を読み出し、ＡＳＩＣ１４へ返信する。ＡＳＩＣ１４は、当該返信された画像形成部３００の識別情報を取得する。
【００６４】
次に、ＡＳＩＣ１４は、ステップＳ６において取得した画像形成部３００の識別情報に予め対応付けられた既定周波数が、ステップＳ５で設定した動作周波数と一致するか否かを判定する（Ｓ７）。
【００６５】
既定周波数は、ＡＳＩＣ１４が動作周波数として設定可能な複数の周波数のうち、画像形成部３００を正常動作させるために動作周波数として設定すべき周波数であり、当該画像形成部３００の識別情報と対応付けて予め定められている。既定周波数と画像形成部３００の識別情報とを対応付ける情報（以下、既定周波数テーブル）は、ＡＳＩＣ１４が備えるＥＥＰＲＯＭ等の不図示の不揮発性メモリーに記憶されている。
【００６６】
本実施形態では、ＡＳＩＣ１４が備える上記不揮発性メモリーには、図６に示す既定周波数テーブルＦＴが記憶されているものとする。例えば、図６に示す既定周波数テーブルＦＴでは、画像形成部３００の識別情報「５０ＰＰＭ」と既定周波数「１．０ＧＨｚ」とが対応付けられている。尚、当該対応関係は、印刷処理によって１分当たりに５０枚の用紙を出力する画像形成部３００を正常動作させるためには、動作周波数を既定周波数「１．０ＧＨｚ」に設定する必要があることを示している。
【００６７】
つまり、ＡＳＩＣ１４が、動作周波数を識別情報「５０ＰＰＭ」に対応する既定周波数「１．０ＧＨｚ」に設定し、当該識別情報「５０ＰＰＭ」に対応する画像形成部３００を制御するための所定の画像処理を当該動作周波数に同期して実行したとする。この場合、当該画像形成部３００を５０ＰＰＭに応じた速度で正常動作させることができる。尚、所定の画像処理には、例えば、画像形成部３００へ出力する画像データが示す画像を縮小拡大する処理等が含まれる。
【００６８】
以下、ステップＳ６において取得される画像形成部３００の識別情報は、図６に示す「５０ＰＰＭ」であるとする。この場合、ＡＳＩＣ１４は、ステップＳ７において、ステップＳ６で取得した画像形成部３００の識別情報「５０ＰＰＭ」に予め対応付けられた既定周波数「１．０ＧＨｚ」が、ステップＳ５で設定した動作周波数「８００ＭＨｚ」と一致しない（異なる）と判定する（Ｓ７；ＮＯ）。
【００６９】
この場合（Ｓ７；ＮＯ）、ＡＳＩＣ１４は、論理信号ＬＳ１が示す第一論理値と論理信号ＬＳ２が示す第二論理値との組み合わせ「Ｌｏｗ、Ｌｏｗ」を、当該既定周波数「１．０ＧＨｚ」を特定する第一論理値と第二論理値との組み合わせ「Ｈｉｇｈ、Ｌｏｗ」（図３参照）に変更する変更指示をＰＭＩＣ１３へ出力する（Ｓ８）。
【００７０】
ＰＭＩＣ１３は、ＡＳＩＣ１４から変更指示が入力されると、論理信号ＬＳ１が示す第一論理値と論理信号ＬＳ２が示す第二論理値との組み合わせ「Ｌｏｗ、Ｌｏｗ」を、当該変更指示が示す第一論理値と第二論理値との組み合わせ「Ｈｉｇｈ、Ｌｏｗ」に変更する（Ｓ９、時刻ｔ７）。また、ＰＭＩＣ１３は、ＡＳＩＣ１４から変更指示が入力された場合、当該変更指示が示す第一論理値と第二論理値との組み合わせ「Ｈｉｇｈ、Ｌｏｗ」を、初期論理値としてＥＥＰＲＯＭ１５に記憶（更新）する（Ｓ１０）。
【００７１】
その後、時刻ｔ８において、二つの論理信号ＬＳ１、ＬＳ２が示す二つの論理値の組み合わせが「Ｈｉｇｈ、Ｌｏｗ」に変更されると、ステップＳ１１が行われる（Ｓ１１）。
【００７２】
具体的には、第一ＤＣＤＣコンバーター１１は、ステップＳ１１において、出力電圧Ｖ１の電圧値を、二つの論理信号ＬＳ１、ＬＳ２が示す上記変更後の二つの論理値の組み合わせ「Ｈｉｇｈ、Ｌｏｗ」によって特定される電圧値「１．２Ｖ」に設定する（図３参照）。
【００７３】
これにより、ＡＳＩＣ１４は、時刻ｔ９に、上記変更後の二つの論理値の組み合わせ「Ｈｉｇｈ、Ｌｏｗ」に対応する電圧値「１．２Ｖ」の電圧Ｖ１の供給を受けるようになると、ステップＳ１１の処理として、動作周波数を、二つの論理信号ＬＳ１、ＬＳ２が示す上記変更後の二つの論理値の組み合わせ「Ｈｉｇｈ、Ｌｏｗ」によって特定される周波数「１．０ＧＨｚ」に設定する（図３参照）。
【００７４】
以上により、制御装置９００の最初の起動動作は完了し、制御装置９００は、消費電力を抑制しない通常モードとなる。その後、制御装置９００が通常モードである場合に（Ｓ１２；ＮＯ）、操作部４００を用いて印刷処理の操作指示が入力されたときは、ＡＳＩＣ１４は、ステップＳ１１で設定した動作周波数「１．０ＧＨｚ」で、画像形成部３００を制御する動作を行う。
【００７５】
また、制御装置９００が通常モードの場合に（Ｓ１２；ＮＯ）、所定期間以上、操作部４００を用いた操作指示の入力が行われず、且つ、所定期間以上、通信部６００による外部装置との通信が行われなかったときは、ＡＳＩＣ１４は、制御装置９００をスリープモードに切り替える。制御装置９００がスリープモードに切り替えられた場合（Ｓ１２；ＹＥＳ）、ステップＳ１３以降の処理が実行される。ステップＳ１３以降の処理については後述する。
【００７６】
続いて、制御装置９００を二回目以降に起動する場合に、動作周波数及び出力電圧Ｖ１の電圧値を設定する動作について説明する。当該説明の中で、ステップＳ１３以降の処理についても説明する。
【００７７】
図４及び図７に示すように、時刻ｔ１１に、複合機１の電源が再び投入されると、制御装置９００は、以下に示す二回目以降の起動動作を行う。具体的には、ＰＭＩＣ１３は、ステップＳ１を実行する。これにより、第一ＤＣＤＣコンバーター１１は、電圧値「１．１Ｖ」の電圧Ｖ１の供給を開始する。
【００７８】
ＰＭＩＣ１３は、第一ＤＣＤＣコンバーター１１の起動後、電圧Ｖ１が安定するまでに要すると考えられる所定の待機時間待機し、当該待機時間が経過した時刻ｔ１２になると、ステップＳ２を実行する。これにより、第二ＤＣＤＣコンバーター１２は、所定の電圧値「Ｖａ」の電圧Ｖ２の供給を開始する。
【００７９】
ＰＭＩＣ１３は、第二ＤＣＤＣコンバーター１２の起動後、電圧Ｖ２が安定するまでに要すると考えられる所定の待機時間待機し（Ｓ３；ＮＯ）、当該待機時間が経過した時刻ｔ１３になると、電圧Ｖ２が安定したと判断し（Ｓ３；ＹＥＳ）、ＥＥＰＲＯＭ１５に記憶されている初期論理値を読み出す。この場合、ＰＭＩＣ１３は、制御装置９００の最初の起動時のステップＳ１０においてＥＥＰＲＯＭ１５に記憶した、初期論理値「Ｈｉｇｈ、Ｌｏｗ」を読み出す。
【００８０】
ＰＭＩＣ１３は、ＥＥＰＲＯＭ１５から初期論理値を読み出した後、時刻ｔ１４にステップＳ４を実行する。これにより、ＰＭＩＣ１３は、当該読み出した初期論理値「Ｈｉｇｈ、Ｌｏｗ」を示す二つの論理信号ＬＳ１、ＬＳ２の出力を開始する。
【００８１】
その後、時刻ｔ１５において、二つの論理信号ＬＳ１、ＬＳ２が示す二つの論理値の組み合わせが初期論理値「Ｈｉｇｈ、Ｌｏｗ」に変更されると、第一ＤＣＤＣコンバーター１１は、ステップＳ５において、出力電圧Ｖ１の電圧値を、論理信号ＬＳ１、ＬＳ２が示す初期論理値「Ｈｉｇｈ、Ｌｏｗ」によって特定される電圧値「１．２Ｖ」に設定する。これにより、第一ＤＣＤＣコンバーター１１は、時刻ｔ１１で供給を開始した電圧値「１．１Ｖ」の電圧Ｖ１に代えて、電圧値「１．２Ｖ」の電圧Ｖ１の供給を開始する。
【００８２】
一方、ＡＳＩＣ１４は、電圧Ｖ１の供給を受け初めてから、ＡＳＩＣ１４に供給される全ての電圧が安定するまでに要すると考えられる所定の待機時間が経過した時刻ｔ１６になると、リセット状態を解除する。
【００８３】
そして、ＡＳＩＣ１４は、リセット状態を解除し終えた時刻ｔ１７になると、所定の初期化処理を開始し、当該初期化処理において、ステップＳ５の処理として、二つの論理信号ＬＳ１、ＬＳ２が示す初期論理値「Ｈｉｇｈ、Ｌｏｗ」によって特定される周波数「１．０ＧＨｚ」（図３参照）を、動作周波数として設定する。
【００８４】
次に、ＡＳＩＣ１４は、ステップＳ６を実行することで画像形成部３００の識別情報を取得した後、ステップＳ７の判定処理を行う。尚、制御装置９００を最初に起動した後、画像形成部３００は交換されていず、当該ステップＳ６において取得される画像形成部３００の識別情報も「５０ＰＰＭ」であるとする。
【００８５】
この場合、図６に示すように、当該識別情報「５０ＰＰＭ」に対応付けられた既定周波数「１．０ＧＨｚ」は、ステップＳ５で設定された動作周波数「１．０ＧＨｚ」と一致する。このため、ＡＳＩＣ１４は、当該ステップＳ７において、既定周波数がステップＳ５で設定した動作周波数と一致すると判定する（Ｓ７；ＹＥＳ）。この場合（Ｓ７；ＹＥＳ）、ＡＳＩＣ１４は、上記変更指示をＰＭＩＣ１３に出力しない。
【００８６】
以上により、制御装置９００の二回目以降の起動動作は完了し、制御装置９００は、消費電力を抑制しない通常モードとなる。その後、時刻ｔ１８に、ＡＳＩＣ１４が制御装置９００をスリープモードに切り替えたとする（Ｓ１２；ＹＥＳ）。
【００８７】
この場合（Ｓ１２；ＹＥＳ）、ＡＳＩＣ１４は、論理信号ＬＳ１が示す第一論理値と論理信号ＬＳ２が示す第二論理値との組み合わせ「Ｈｉｇｈ、Ｌｏｗ」を、図３に示す三個の電圧値「１．１Ｖ」「１．２Ｖ」「１．２２Ｖ」のうち最小の電圧値「１．１Ｖ」を特定する第一論理値と第二論理値との組み合わせ「Ｌｏｗ、Ｌｏｗ」に変更するスリープ指示をＰＭＩＣ１３へ出力する（Ｓ１３）。
【００８８】
ＰＭＩＣ１３は、ＡＳＩＣ１４からスリープ指示が入力されると、第二ＤＣＤＣコンバーター１２による電圧Ｖ２の供給を停止させる。また、ＰＭＩＣ１３は、論理信号ＬＳ１が示す第一論理値と論理信号ＬＳ２が示す第二論理値との組み合わせ「Ｈｉｇｈ、Ｌｏｗ」を、当該スリープ指示が示す第一論理値と第二論理値との組み合わせ「Ｌｏｗ、Ｌｏｗ」に変更する（Ｓ１４、時刻ｔ１８）。
【００８９】
その後、時刻ｔ１９において、二つの論理信号ＬＳ１、ＬＳ２が示す二つの論理値の組み合わせが「Ｌｏｗ、Ｌｏｗ」に変更されると、ステップＳ１５が行われる（Ｓ１５）。
【００９０】
具体的には、第一ＤＣＤＣコンバーター１１は、ステップＳ１５において、出力電圧Ｖ１の電圧値を、二つの論理信号ＬＳ１、ＬＳ２が示す上記変更後の二つの論理値の組み合わせ「Ｌｏｗ、Ｌｏｗ」によって特定される電圧値「１．１Ｖ」に設定する（図３参照）。
【００９１】
これにより、ＡＳＩＣ１４は、時刻ｔ２０に、上記変更後の二つの論理値の組み合わせ「Ｌｏｗ、Ｌｏｗ」に対応する電圧値「１．１Ｖ」の電圧Ｖ１の供給を受けるようになると、ステップＳ１５の処理として、動作周波数を、二つの論理信号ＬＳ１、ＬＳ２が示す上記変更後の二つの論理値の組み合わせ「Ｌｏｗ、Ｌｏｗ」によって特定される周波数「８００ＭＨｚ」に設定する（図３参照）。
【００９２】
その後、制御装置９００がスリープモードの場合に、操作部４００を用いて複合機１に対する何らかの操作指示が入力されたとする、或いは、通信部６００が、複合機１に対する何らかの操作指示を外部装置から受信したとする。この場合、ＡＳＩＣ１４は、制御装置９００を通常モードに切り替える。制御装置９００がスリープモードから通常モードに切り替えられた場合（Ｓ１６；ＹＥＳ）、ステップＳ２以降の処理が繰り返される。
【００９３】
本実施形態の制御基板１０によれば、ＰＭＩＣ１３が出力する二つの論理信号ＬＳ１、ＬＳ２が示す各論理値を変更することにより、ＡＳＩＣ１４の動作周波数を当該変更後の論理値により特定される周波数に変更し、且つ、第一ＤＣＤＣコンバーター１１からＡＳＩＣ１４へ供給される電圧Ｖ１の電圧値を、当該変更後の論理値により特定される周波数に対応する電圧値に変更することができる。これにより、ＡＳＩＣ１４は、当該変更後の論理値により特定される周波数に対応する電圧値の電圧Ｖ１の供給を受けて、当該周波数を動作周波数として動作することができる。
【００９４】
また、複数の制御装置に本構成の制御基板１０を搭載し、各ＰＭＩＣ１３が出力する論理信号ＬＳ１、ＬＳ２の各論理値を各装置の仕様に応じて異ならせることにより、各第一ＤＣＤＣコンバーター１１の構成を異ならせることなく、各ＡＳＩＣ１４の動作周波数を各装置の仕様に応じた周波数に変更し、当該動作周波数に対応する電圧値の電圧Ｖ１で各ＡＳＩＣ１４を動作させることができる。つまり、本構成の制御基板１０を複数の制御装置で共通利用することができる。これにより、例えば、各制御装置の部品表やＡＳＳＹ図番等に記載する制御基板の識別情報を同一にでき、また、交換用の制御基板を一元管理できる等、制御基板の管理が容易となる。
【００９５】
また、本実施形態の構成によれば、制御装置９００の起動時に、ＡＳＩＣ１４が初期論理値により特定される周波数を動作周波数として動作を開始した後、当該動作周波数が画像形成部３００の識別情報に予め対応付けられた既定周波数と異なる場合、その後、当該既定周波数を特定する論理値を示す論理信号ＬＳ１、ＬＳ２がＡＳＩＣ１４に入力される。これにより、制御装置９００の起動後、ＡＳＩＣ１４の動作周波数を、初期論理値により特定される周波数から既定周波数へ自動的に変更することができる。
【００９６】
また、第二ＤＣＤＣコンバーター１２からＡＳＩＣ１４へ供給される電圧Ｖ２が安定していないうちに、ＰＭＩＣ１３が論理信号ＬＳ１、ＬＳ２を出力するとする。この場合、ＡＳＩＣ１４に入力される論理信号ＬＳ１、ＬＳ２の電圧レベルが急激に高まることが原因で、当該電圧Ｖ２の給電線に電流が流れ込む（回り込む）虞がある。これにより、ＡＳＩＣ１４は、電圧Ｖ２の供給を受けることができる状態になったと誤って判断し、電圧Ｖ２を用いる動作を誤って行う虞がある。
【００９７】
しかし、本実施形態の構成によれば、第二ＤＣＤＣコンバーター１２からＡＳＩＣ１４へ供給される電圧Ｖ２が安定した後に、論理信号ＬＳ１、ＬＳ２の出力を開始するので、電圧Ｖ２の給電線に電流が流れ込む虞を軽減することができる。これにより、ＡＳＩＣ１４が、電圧Ｖ２の供給を受けることができる状態になったと誤って判断して、電圧Ｖ２を用いる動作を誤って行う虞を軽減することができる。
【００９８】
また、本実施形態の構成によれば、制御装置９００の最初の起動時に、ＰＭＩＣ１３に変更指示が入力された場合、当該変更指示が示す、既定周波数を特定する論理値が初期論理値としてＥＥＰＲＯＭ１５に記憶される。このため、ＡＳＩＣ１４は、制御装置９００の二回目以降の起動時に、迅速に、論理信号ＬＳ１、ＬＳ２が示す初期論理値により特定される既定周波数を動作周波数として設定し、当該動作周波数で動作を開始することができる。
【００９９】
また、本実施形態の構成によれば、制御装置９００がスリープモードに切り替えられた場合に、第一ＤＣＤＣコンバーター１１は、ＰＭＩＣ１３から入力された論理信号ＬＳ１、ＬＳ２が示す各論理値により特定される最小の電圧値の電圧をＡＳＩＣ１４へ供給することができる。これにより、制御装置９００がスリープモードに切り替えられた場合におけるＡＳＩＣ１４の消費電力を抑制することができる。
【０１００】
また、本実施形態の構成によれば、制御装置９００の起動後、ＡＳＩＣ１４の動作周波数を、初期論理値により特定される周波数から画像形成部３００の識別情報に予め対応付けられた既定周波数へ自動的に変更することができる。
【０１０１】
尚、上記実施形態は、本発明に係る実施形態の例示に過ぎず、本発明を上記実施形態に限定する趣旨ではない。例えば、以下に示す、変形実施形態であってもよい。
【０１０２】
（１）ステップＳ１３からステップＳ１５を省略してもよい。つまり、制御装置９００がスリープモードに切り替えられた場合に、第一ＤＣＤＣコンバーター１１の供給する電圧Ｖ１及びＡＳＩＣ１４の動作周波数を変更しないようにしてもよい。
【０１０３】
（２）ステップＳ１０を省略し、初期論理値が変更されないようにしてもよい。
【０１０４】
（３）ステップＳ３を省略し、ＰＭＩＣ１３が、制御装置９００の起動時に第二ＤＣＤＣコンバーター１２による電圧Ｖ２の供給を開始させた後の所定のタイミングで、当該電圧Ｖ２が安定するか否かによらずに論理信号ＬＳ１、ＬＳ２の出力を開始するようにしてもよい。
【０１０５】
（４）ＰＭＩＣ１３が出力する論理信号の個数は、上記実施形態に示した二個に限らない。例えば、ＡＳＩＣ１４が動作周波数として設定可能な周波数の数が二個であるとする。この場合、一個の論理信号が示す二通りの論理値（Ｈｉｇｈ、Ｌｏｗ）によって、当該二個の周波数のそれぞれを特定することができるので、ＰＭＩＣ１３が出力する論理信号の個数を一個以上にしてもよい。また、例えば、ＡＳＩＣ１４が動作周波数として設定可能な周波数の数が五個以上八個以下であるとする。この場合、三個の論理信号が示す、八（二の三乗）通りの三個の論理値の組み合わせによって、当該五個以上八個以下の周波数のそれぞれを特定することができるので、ＰＭＩＣ１３が出力する論理信号の個数を三個以上にしてもよい。このように、ＰＭＩＣ１３が出力する論理信号の個数は、ＡＳＩＣ１４が動作周波数として設定可能な周波数の数に応じて適宜変更してもよい。
【符号の説明】
【０１０６】
１  複合機（画像形成装置）
１０  制御基板
１１  第一ＤＣＤＣコンバーター（電源部）
１２  第二ＤＣＤＣコンバーター（副電源部）
１３  ＰＭＩＣ（電源制御部）
１４  ＡＳＩＣ（制御部）
１５  ＥＥＰＲＯＭ（記憶部）
３００  画像形成部（被制御部）
９００  制御装置
ＬＳ１、ＬＳ２  論理信号
Ｖ１  電圧
Ｖ２  電圧（他の電圧）
【図１】
0006337846.tif 000002
【図２】
0006337846.tif 000003
【図３】
0006337846.tif 000004
【図４】
0006337846.tif 000005
【図５】
0006337846.tif 000006
【図６】
0006337846.tif 000007
【図７】
0006337846.tif 000008